(57)【要約】      （修正有）【課題】エレベータの乗降時のハンドオーバを確実に行い、突然の通信の中断を防止する。【解決手段】第１の基地局は、第１の基地局が第２の基地局の隣接局になることを示す情報を取得し、第１の基地局を介して遠隔電気通信装置と目下通信している移動端末を識別し、第２の基地局を介する通信の継続を可能にする資源を準備するように第２の基地局に要求するメッセージを第２の基地局に転送し、移動端末が関与する進行中の通信を第２の基地局に転送する。【選択図】図１
2008211787.tif 000002
【特許請求の範囲】
【請求項１】
無線セルラ電気通信ネットワークの第１の基地局と第２の基地局との間で移動端末が関与し、前記基地局のうちの一方が移動する乗物に位置する、進行中の通信を転送する方法であって、
前記第１の基地局によって実行される、
前記第１の基地局が前記第２の基地局の隣接局になることを示す情報を取得するステップと、
前記第１の基地局を介して遠隔電気通信装置と目下通信している移動端末を識別するステップと、
前記第２の基地局を介する前記遠隔電気通信装置との前記通信の継続を可能にする資源を準備するように該第２の基地局に要求するメッセージを該第２の基地局に転送するステップと、
前記第１の基地局が前記第２の基地局の隣接局であることを示す情報を取得するステップと、
前記移動端末が関与する前記進行中の通信を前記第２の基地局に転送するステップと
を含むことを特徴とする、進行中の通信を転送する方法。
【請求項２】
前記第１の基地局は、前記移動端末が位置する第１のセルを管理すること、及び、
前記方法が、
前記第２の基地局によって管理される第２のセルを識別する情報を取得するステップと、
少なくとも前記第２のセルの識別子を前記移動端末に転送するステップと、
前記第１のセル及び前記第２のセルにおいて前記移動端末によって測定される信号を表す少なくとも１つの測定報告を受け取るステップと、
前記第１のセルにおいて前記移動端末によって測定される信号の品質が、閾値を下回り、且つ／又は前記第２のセルにおいて前記移動端末によって測定される信号の品質を下回る場合に、該移動端末が関与する前記進行中の通信を前記第２の基地局に転送するステップと
をさらに含むことを特徴とする、請求項１に記載の方法。
【請求項３】
前記第２の基地局を介する前記遠隔電気通信装置との前記通信の継続を可能にする資源を前記第２の基地局が準備したことを示す情報を、前記第２の基地局から受け取るステップをさらに含み、
前記第２の基地局を介する前記遠隔電気通信装置との前記通信の継続を可能にする資源を前記第２の基地局が準備したことを示す情報が受け取られる場合に、前記移動端末が関与する前記進行中の通信を前記第２の基地局に転送することを特徴とする、請求項２に記載の方法。
【請求項４】
前記第２の基地局を介する前記遠隔電気通信装置との前記通信の継続を可能にする資源を前記第２の基地局が準備したことを示す前記情報は記憶され、
前記第２の基地局を介する前記遠隔電気通信装置との前記通信の継続を可能にする資源を前記第２の基地局が準備したことを示す前記情報が記憶されている場合に、前記移動端末が関与する前記進行中の通信を前記第２の基地局に転送すること、及び、
前記方法が、
前記第２の基地局が前記第１の基地局の隣接局でなくなることを示す情報を取得するステップと、
少なくとも、前記第２の基地局によって管理される前記第２のセルの前記識別子を前記移動端末に転送することを停止するステップと、
前記第２の基地局を介する前記遠隔電気通信装置との前記通信の継続を可能にする前記準備された資源の解放を要求するメッセージを前記第２の基地局に送信するステップと、
前記記憶されている情報を削除するステップと
をさらに含むことを特徴とする、請求項２に記載の方法。
【請求項５】
少なくとも２つの移動端末が、前記第１の基地局を介してそれぞれの遠隔電気通信装置と目下通信中であること、及び、
前記第２の基地局に送信される前記メッセージは、前記第２の基地局を介する前記遠隔電気通信装置との各通信の継続を可能にする前記準備された資源の解放を要求することを特徴とする、請求項４に記載の方法。
【請求項６】
前記第２の基地局との無線資源調整処理を実行するステップをさらに含むことを特徴とする、請求項１〜５のいずれか１項に記載の方法。
【請求項７】
別の移動端末が関与する前記第１の基地局を介する進行中の通信の継続を可能にする資源を準備するよう前記第１の基地局に要求するメッセージを前記第２の基地局から受け取るステップと、
前記第１の基地局を介する前記通信の継続を可能にする資源を準備するステップと、
前記第１の基地局を介する前記遠隔電気通信装置との前記通信の継続を可能にする資源を前記第１の基地局が準備したことを示す情報を前記第２の基地局に転送するステップと、
前記第２の通信装置又は前記移動端末からハンドオーバ完了メッセージが受け取られる場合に、前記通信のハンドオーバを実行するステップと
をさらに含むことを特徴とする、請求項１〜６のいずれか１項に記載の方法。
【請求項８】
前記第２の基地局からハンドオーバ完了メッセージが受け取られない場合、又は該第２の基地局から解放メッセージが受け取られる場合に、前記移動端末が関与する前記第１の基地局を介する前記通信の継続を可能にする前記準備された資源を解放するステップ
をさらに含むことを特徴とする、請求項７に記載の進行中の通信を転送する方法。
【請求項９】
無線セルラ電気通信ネットワークの第１の基地局と第２の基地局との間で移動端末が関与し、前記基地局のうちの一方が移動する乗物に位置する、進行中の通信を転送する装置であって、
該装置は前記第１の基地局に含まれており、
前記第１の基地局が前記第２の基地局の隣接局になることを示す情報を取得する手段と、
前記第１の基地局を介して遠隔電気通信装置と目下通信している移動端末を識別する手段と、
前記第２の基地局を介する前記遠隔電気通信装置との前記通信の継続を可能にする資源を準備するように該第２の基地局に要求するメッセージを該第２の基地局に転送する手段と、
前記第１の基地局が前記第２の基地局の隣接局であることを示す情報を取得する手段と、
前記移動端末が関与する前記進行中の通信を前記第２の基地局に転送する手段と
を備えることを特徴とする、進行中の通信を転送する装置。
【請求項１０】
無線セルラ電気通信ネットワークの第１の基地局と第２の基地局との間で移動端末が関与し、前記基地局のうちの一方が移動する乗物に位置する、進行中の通信を転送するシステムであって、
少なくとも前記第１の基地局、前記第２の基地局、及び前記移動する乗物を備え、
前記第１の基地局は、
前記第１の基地局が前記第２の基地局の隣接局になることを示す情報を取得する手段と、
前記第１の基地局を介して遠隔電気通信装置と目下通信している移動端末を識別する手段と、
前記第２の基地局を介する前記遠隔電気通信装置との前記通信の継続を可能にする資源を準備するように該第２の基地局に要求するメッセージを該第２の基地局に転送する手段と、
前記第１の基地局が前記第２の基地局の隣接局であることを示す情報を取得する手段と、
前記移動端末が関与する前記進行中の通信を前記第２の基地局に転送する手段と
を備えることを特徴とする、進行中の通信を転送するシステム。
【請求項１１】
前記移動する乗物はエレベータキャビンであることを特徴とする、請求項１０に記載の進行中の通信を転送するシステム。
【請求項１２】
前記第１の基地局は、前記移動端末が位置する第１のセルを管理し、且つ、
前記第２の基地局によって管理される第２のセルを識別する情報を取得する手段と、
少なくとも前記第２のセルの識別子を前記移動端末に転送する手段と、
前記第１のセル及び前記第２のセルにおいて前記移動端末によって測定される信号を表す少なくとも１つの測定報告を受け取る手段と、
前記第１のセルにおいて前記移動端末によって測定される信号の品質が、閾値を下回り、且つ／又は前記第２のセルにおいて前記移動端末によって測定される信号の品質を下回る場合に、該移動端末が関与する前記進行中の通信を前記第２の基地局に転送する手段と
を備えることを特徴とする、請求項１１に記載のシステム。
【請求項１３】
前記第１の基地局が、前記第２の基地局を介する前記遠隔電気通信装置との前記通信の継続を可能にする資源を前記第２の基地局が準備したことを示す情報を前記第２の基地局から受け取る手段を含むこと、及び、
前記第２の基地局を介する前記遠隔電気通信装置との前記通信の継続を可能にする資源を前記第２の基地局が準備したことを示す情報が受け取られる場合に、前記移動端末が関与する前記進行中の通信を前記第２の基地局に転送することを特徴とする、請求項１２に記載のシステム。
【請求項１４】
前記第２の基地局を介する前記遠隔電気通信装置との前記通信の継続を可能にする資源を前記第２の基地局が準備したことを示す前記情報は記憶され、
前記第２の基地局を介する前記遠隔電気通信装置との前記通信の継続を可能にする資源を前記第２の基地局が準備したことを示す前記情報が記憶されている場合に、前記移動端末が関与する前記進行中の通信を前記第２の基地局に転送すること、及び、
前記第１の基地局が、
前記第２の基地局が前記第１の基地局の隣接局でなくなることを示す情報を取得する手段と、
少なくとも、前記第２の基地局によって管理される前記第２のセルの前記識別子を前記移動端末に転送することを停止する手段と、
前記第２の基地局を介する前記遠隔電気通信装置との前記通信の継続を可能にする前記準備された資源の解放を要求するメッセージを前記第２の基地局に送信する手段と、
前記記憶されている情報を削除する手段と
を備えることを特徴とする、請求項１２に記載のシステム。
【請求項１５】
少なくとも２つの移動端末が、前記第１の基地局を介してそれぞれの遠隔電気通信装置と目下通信中であること、及び、
前記第２の基地局に送信される前記メッセージは、前記第２の基地局を介する前記遠隔電気通信装置との各通信の継続を可能にする前記準備された資源の解放を要求することを特徴とする、請求項１４に記載のシステム。
【請求項１６】
前記第１の基地局の少なくとも一部は前記エレベータキャビン内に含まれ、
前記第２の基地局は前記エレベータキャビンの目的階に位置することを特徴とする、請求項１１〜１５のいずれか１項に記載のシステム。
【請求項１７】
前記第１の基地局が前記第２の基地局の隣接局になることを示す前記情報は、前記エレベータキャビンの前記目的階を確定するエレベータコントローラによって転送される情報から取得され、
前記第１の基地局が前記第２の基地局の隣接局であることを示す前記情報は、前記エレベータコントローラによって転送される情報から取得されることを特徴とする、請求項１６に記載のシステム。
【請求項１８】
前記第１の基地局は、該第１の基地局が前記第２の基地局の隣接局でなくなることを示す情報を取得する手段を備え、
前記第１の基地局が前記第２の基地局の隣接局でなくなることを示す前記情報は、前記エレベータコントローラによって転送される情報から取得されることを特徴とする、請求項１７に記載のシステム。
【請求項１９】
前記第２の基地局の少なくとも一部は前記エレベータキャビン内に含まれ、
前記第１の基地局は前記移動する乗物の目的場所に位置することを特徴とする、請求項１１〜１４のいずれか１項に記載のシステム。
【請求項２０】
前記第１の基地局が前記第２の基地局の隣接局となることを示す前記情報は、前記第２の基地局によって転送される情報から取得され、
前記第１の基地局が前記第２の基地局の隣接局であることを示す前記情報は、前記第２の基地局によって転送される情報から取得されることを特徴とする、請求項１９に記載のシステム。
【請求項２１】
前記第１の基地局は、該第１の基地局が前記第２の基地局の隣接局でなくなることを示す情報を取得する手段を備え、
前記第１の基地局が前記第２の基地局の隣接局でなくなることを示す前記情報は、前記第２の基地局によって転送される情報から取得されることを特徴とする、請求項２０に記載のシステム。
【請求項２２】
プログラマブルデバイスに直接ロード可能であり得るコンピュータプログラムであって、プログラマブルデバイスによって実行される時に、請求項１〜８のいずれか１項に記載の方法のステップを実施する命令又はコードの一部を含む、コンピュータプログラム。
【発明の詳細な説明】
【技術分野】
【０００１】
本発明は、無線セルラ電気通信ネットワークの第１の基地局と第２の基地局との間で移動端末が関与し、基地局のうちの一方が移動する乗物に位置する、進行中の通信を転送する方法及び装置に関する。
【背景技術】
【０００２】
無線セルラ電気通信システムは、世界中に広く行き渡っている。それらは、無線セルラ電気通信システムの基地局間のハンドオーバ処理により、顧客に対して、顧客が移動している場合であっても遠隔電気通信装置と通信し続ける可能性を提供する。
【０００３】
いくつかの場合、特に、移動端末が、電磁波形の伝播を減衰させる移動する乗物に位置している場合では、通信は、受信される電磁信号の喪失により、又は無線セルラ電気通信システムの基地局間のハンドオーバの失敗により、突然中断される。
【０００４】
エレベータのような移動する乗物は、電磁波形の伝播を減衰させる。大部分のエレベータキャビンはスチールから作られており、そのためファラデーケージを形成する。無線波形は、エレベータキャビン内にまったく侵入することができず、またエレベータキャビンからまったく出ることができない。もしくは、エレベータキャビン内に侵入できたとしても、またエレベータキャビンから出ることができたとしても、無線波形は非常に減衰している。エレベータキャビンのドアが閉じている時には、もはやキャビン外部からいかなる信号も受信できないので、キャビン内部に位置する携帯端末の通信は低下する。
【０００５】
１つの解決法は、エレベータキャビン内に基地局を設けるというものであり得る。しかしながら、キャビンのドアは限られた時間しか開かないので、特に複数のハンドオーバが実行される必要のある場合に、キャビンの外部に位置する基地局とキャビンの内部に位置する基地局との間でのいくつかのハンドオーバに進むことが困難である。さらに、キャビンのドアが急に開く場合に、著しく急速なセル間干渉の変動がもたらされ、無線セルラ電気通信システム内での提供されるサービスが関連して劣化することになる。キャビンのドアはいずれの階でも開く可能性があるので、エレベータキャビンの内部に位置する基地局と、エレベータキャビンの外部に位置する各階の基地局との間の無線資源の調整は、困難であるか又は非効率である。
【０００６】
他のいくつかの場合、特に、移動端末が、電磁波形の伝播を減衰させる電車又は地下鉄のような移動する乗物に位置する場合でも、通信は、受信される電磁信号の喪失により、又は無線セルラ電気通信システムの基地局間のハンドオーバの失敗により、突然中断される。
【０００７】
エレベータに関して開示したものと同様の問題が、電車及び地下鉄にも発生する。
【発明の開示】
【発明が解決しようとする課題】
【０００８】
したがって、本発明の目的は、移動端末が２つのエリア間で移動しており、その２つのエリアのうちの一方が移動する乗物に位置している場合に、進行中の通信のいかなる中断も回避することができるようにする方法及び装置を提案することである。
【課題を解決するための手段】
【０００９】
この目的のために、本発明は、無線セルラ電気通信ネットワークの第１の基地局と第２の基地局との間で移動端末が関与し、基地局のうちの一方が移動する乗物に位置する、進行中の通信を転送する方法であって、
第１の基地局によって実行される、
第１の基地局が第２の基地局の隣接局になることを示す情報を取得するステップと、
第１の基地局を介して遠隔電気通信装置と目下通信している移動端末を識別するステップと、
第２の基地局を介する遠隔電気通信装置との通信の継続を可能にする資源を準備するように第２の基地局に要求するメッセージを第２の基地局に転送するステップと、
第１の基地局が第２の基地局の隣接局であることを示す情報を取得するステップと、
移動端末が関与する進行中の通信を第２の基地局に転送するステップと
を含むことを特徴とする、進行中の通信を転送する方法に関する。
【００１０】
本発明はまた、無線セルラ電気通信ネットワークの第１の基地局と第２の基地局との間で移動端末が関与し、基地局のうちの一方が移動する乗物に位置する、進行中の通信を転送する装置であって、
当該装置は第１の基地局に含まれ、
第１の基地局が第２の基地局の隣接局になることを示す情報を取得する手段と、
第１の基地局を介して遠隔電気通信装置と目下通信している移動端末を識別する手段と、
第２の基地局を介する遠隔電気通信装置との通信の継続を可能にする資源を準備するように第２の基地局に要求するメッセージを第２の基地局に転送する手段と、
第１の基地局が第２の基地局の隣接局であることを示す情報を取得する手段と、
移動端末が関与する進行中の通信を第２の基地局に転送する手段と
を備えることを特徴とする、進行中の通信を転送する装置に関する。
【００１１】
本発明はまた、無線セルラ電気通信ネットワークの第１の基地局と第２の基地局との間で移動端末が関与し、基地局のうちの一方が移動する乗物に位置する、進行中の通信を転送するシステムであって、少なくとも第１の基地局及び第２の基地局と、移動する乗物とを備え、
第１の基地局は、
第１の基地局が第２の基地局の隣接局になることを示す情報を取得する手段と、
第１の基地局を介して遠隔電気通信装置と目下通信している移動端末を識別する手段と、
第２の基地局を介する遠隔電気通信装置との通信の継続を可能にする資源を準備するように第２の基地局に要求するメッセージを第２の基地局に転送する手段と、
第１の基地局が第２の基地局の隣接局であることを示す情報を取得する手段と、
移動端末が関与する進行中の通信を第２の基地局に転送する手段と
を備えることを特徴とする、進行中の通信を転送するシステムに関する。
【００１２】
このため、第１の基地局を介して遠隔電気通信装置と目下通信中の移動端末が、２つのエリア間で移動しており、その２つのエリアのうちの一方が移動する乗物に位置している場合でも、進行中の通信のいかなる中断も回避することができる。
【００１３】
さらに、第１の基地局及び第２の基地局が隣接局になる前に、移動端末が関与する進行中の通信を第２の基地局に転送することを準備することにより、第１の基地局と第２の基地局とが隣接局になると、移動端末が関与する進行中の通信を第２の基地局に転送する時間が短縮される。
【００１４】
特定の特徴によれば、第１の基地局は、移動端末が位置する第１のセルを管理し、且つ、
第２の基地局によって管理される第２のセルを識別する情報を取得し、
少なくとも第２のセルの識別子を移動端末に転送し、
第１のセル及び第２のセルにおいて移動端末によって測定される信号を表す少なくとも１つの測定報告を受け取り、
第１のセルにおいて移動端末によって測定される信号の品質が、閾値を下回り、且つ／又は第２のセルにおいて移動端末によって測定される信号の品質を下回る場合に、移動端末が関与する進行中の通信を第２の基地局に転送する。
【００１５】
このため、移動端末は、第２のセルから何らかの信号を受信する可能性があることを知っており、その後、第１のセル及び第２のセルにおける信号の測定を開始することができる。
【００１６】
さらに、移動端末は、第１のセルと第２のセルとの間の遷移を検出するために、無線セルラ電気通信ネットワークのすべての基地局のすべてのセルにおける信号を測定する必要はない。測定に使用される移動端末の処理能力を最小限にすることができる。
【００１７】
さらに、第１のセルにおいて移動端末によって測定される信号の品質が、閾値を下回り、且つ／又は第１のセルにおいて移動端末によって測定される信号の品質を下回る場合に、移動端末が関与する進行中の通信が第２の基地局に転送されるので、進行中の通信の転送は、第１のセルから第２のセルに移動する移動端末に対してのみ実行される。
【００１８】
第１のセルにおいて移動端末によって測定される信号の品質が、閾値を上回り、且つ／又は第２のセルにおいて移動端末によって測定される信号の品質を上回る場合には、移動端末は第１のセルに留まっているので、進行中の通信の転送は実行されない。
【００１９】
移動端末が第１のセルから出る場合であっても出ない場合であっても、進行中の通信は中断されない。
【００２０】
特定の特徴によれば、第１の基地局は、第２の基地局を介する遠隔電気通信装置との通信の継続を可能にする資源を第２の基地局が準備したことを示す情報を第２の基地局から受け取る。また、第２の基地局を介する遠隔電気通信装置との通信の継続を可能にする資源を第２の基地局が準備したことを示す情報が受け取られる場合に、移動端末が関与する進行中の通信は、第２の基地局に転送される。
【００２１】
このため、第２の基地局が通信転送のために準備される場合にのみ、移動端末が関与する進行中の通信を第２の基地局に転送する。進行中の通信の転送の時間が短いことが保証される。
【００２２】
特定の特徴によれば、第２の基地局を介する遠隔電気通信装置との通信の継続を可能にする資源を第２の基地局が準備したことを示す情報は記憶され、第２の基地局を介する遠隔電気通信装置との通信の継続を可能にする資源を第２の基地局が準備したことを示す情報が記憶されている場合に、移動端末が関与する進行中の通信が第２の基地局に転送され、
第１の基地局は、
第２の基地局が第１の基地局の隣接局でなくなることを示す情報を取得し、
少なくとも、第２の基地局によって管理される第２のセルの識別子を移動端末に転送することを停止し、
第２の基地局を介する遠隔電気通信装置との通信の継続を可能にする準備された資源の解放を要求するメッセージを第２の基地局に送信し、
記憶されている情報を削除する。
【００２３】
このため、第１の基地局のメモリ資源が効率的に管理される。また、移動端末に対し、第２の基地局によって管理されるセルの信号の測定を停止することができることが通知される。移動端末の処理資源を最小限にすることができる。
【００２４】
さらに、第２の基地局に対し、第２の基地局を介する遠隔電気通信装置との通信の続行を可能にする準備された資源を解放することができることが通知される。第２の基地局の資源を、他の通信のために再使用することができる。
【００２５】
特定の特徴によれば、少なくとも２つの移動端末が、第１の基地局を介してそれぞれの遠隔電気通信装置と目下通信中であり、第２の基地局に送信されるメッセージは、第２の基地局を介する遠隔電気通信装置との各通信の継続を可能にする準備された資源の解放を要求する。
【００２６】
このため、転送されるメッセージの数が低減する。
【００２７】
特定の特徴によれば、第１の基地局は、第２の基地局との無線資源調整処理を実行する。
【００２８】
このため、第１の基地局によって使用される無線資源と第２の基地局によって使用される無線資源との間に競合がない。さらに、複数の第２の基地局が同時に第１の基地局の隣接局でない限り、それら各第２の基地局と適合性のある第１の基地局に対して、無線資源を確定する必要がない。従って、無線セルラ電気通信ネットワークの無線資源が効率的に使用される。
【００２９】
特定の特徴によれば、
第１の基地局は、
別の移動端末が関与する第１の基地局を介する進行中の通信の継続を可能にする資源を準備するよう第１の基地局に要求するメッセージを第２の基地局から受け取り、
第１の基地局を介する通信の継続を可能にする資源を準備し、
第１の基地局を介する遠隔電気通信装置との通信の継続を可能にする資源を第１の基地局が準備したことを示す情報を第２の基地局に転送し、
第２の通信装置又は移動端末からハンドオーバ完了メッセージが受け取られる場合、通信のハンドオーバを実行する。
【００３０】
このため、第１の基地局は、第１の基地局によって管理されるセルに入る可能性が高い移動端末の少なくとも１つの進行中の通信の継続を処理する用意ができている。
【００３１】
特定の特徴によれば、第１の基地局は、第２の基地局からハンドオーバ完了メッセージが受け取られない場合、又は第２の基地局から解放メッセージが受け取られる場合に、他の移動端末が関与する第１の基地局を介する通信の継続を可能にする準備された資源を解放する。
【００３２】
このため、第１の基地局の資源が効率的に使用される。
【００３３】
特定の特徴によれば、移動する乗物はエレベータキャビンである。
【００３４】
このため、エレベータキャビンがスチールから作られ、そのためファラデーケージを形成する場合であっても、進行中の通信は、移動端末がエレベータキャビン内に入っていると、エレベータキャビンのドアが閉じる時に、中断されない。
【００３５】
さらに、エレベータキャビンのドアが限られた時間しか開かない場合であっても、キャビンの外部に位置する基地局とキャビンの内部に位置する基地局との間のいくつかのハンドオーバに進むことが可能である。
【００３６】
特定の特徴によれば、第１の基地局の少なくとも一部はエレベータキャビン内に含まれ、第２の基地局はエレベータキャビンの目的階に位置する。
【００３７】
特定の特徴によれば、第１の基地局が第２の基地局の隣接局になることを示す情報は、エレベータキャビンの目的階を確定するエレベータコントローラによって転送される情報から取得され、第１の基地局が第２の基地局の隣接局であることを示す情報は、エレベータコントローラによって転送される情報から取得される。
【００３８】
このため、いずれの基地局が隣接局になるかを非常に正確に確定することが可能である。
【００３９】
特定の特徴によれば、第１の基地局は、第１の基地局が第２の基地局の隣接局でなくなることを示す情報を取得する手段を備え、第１の基地局が第２の基地局の隣接局でなくなることを示す情報は、エレベータコントローラによって転送される情報から取得される。
【００４０】
このため、基地局がもはや隣接局でない時を確定することが可能である。
【００４１】
特定の特徴によれば、第２の基地局の少なくとも一部はエレベータキャビン内に含まれ、第１の基地局は移動する乗物の目的場所に位置する。
【００４２】
このため、目的階に位置し且つエレベータキャビンに入ろうとしている移動端末に対し、第２の基地局を介する通信の継続を可能にすることができる。
【００４３】
特定の特徴によれば、第１の基地局が第２の基地局の隣接局となることを示す情報は、第２の基地局によって転送される情報から取得され、第１の基地局が第２の基地局の隣接局であることを示す情報は、第２の基地局によって転送される情報から取得される。
【００４４】
このため、エレベータキャビン内に位置する基地局のみが、エレベータコントローラに接続されればよい。本発明のケーブル布線は低減される。
【００４５】
特定の特徴によれば、第１の基地局は、第１の基地局が第２の基地局の隣接局でなくなることを示す情報を取得する手段を備え、第１の基地局が第２の基地局の隣接局でなくなることを示す情報は、第２の基地局によって転送される情報から取得される。
【００４６】
このため、エレベータキャビン内に位置する基地局のみが、エレベータコントローラに接続されればよい。本発明のケーブル布線は低減される。
【００４７】
さらに別の態様によれば、本発明は、プログラマブルデバイスに直接ロード可能であり得るコンピュータプログラムであって、プログラマブルデバイスによって実行される時に、本発明による方法のステップを実施する命令又はコードの一部を含む、コンピュータプログラムに関する。
【００４８】
コンピュータプログラムに関する特徴及び利点は、本発明による方法、装置及びシステムに関する上述したものと同じであるため、ここでは繰り返さない。
【００４９】
本発明の特徴は、一例としての実施形態の以下の説明を読むことからより明確になるであろう。この説明は、添付図面を参照してなされている。
【発明を実施するための最良の形態】
【００５０】
図１は、本発明による、移動する乗物用の無線通信システムを備える建物の概観を表す図である。
【００５１】
本発明は、移動する乗物が建物に位置するエレベータキャビンである一例を使用して開示される。エレベータキャビンは、建物の１つの階から建物の別の階まで移動する。本発明はまた、１つの駅から次の駅まで移動する電車又は地下鉄にも適用可能である。
【００５２】
建物ＢＬＤは、エレベータキャビンＥＬＥＶのような移動する乗物が変位移動しているエレベータシャフト６０を備える。エレベータキャビンＥＬＥＶは、エレベータコントローラ２０によって制御されるエレベータエンジン１０によって、建物ＢＬＤの１つの階Ｆｌｊ（ｊ＝１〜Ｎ）から別の階Ｆｌｉ（ｉ＝１〜Ｎ且つｉ≠ｊ）まで移動している。ここで、Ｎは建物ＢＬＤの階数である。
【００５３】
各階Ｆｌｉ（ｉ＝１〜Ｎ）は、少なくとも１つの呼出しボタンＢＴＦｉを備えており、呼出しボタンＢＴＦｉはエレベータコントローラ２０にリンクされている。
【００５４】
階Ｆｌｉ（ｉ＝１〜Ｎ）のうちの少なくとも１つは、少なくとも１つの基地局ＢＳｉを備える。例として且つ非限定的に、各階Ｆｌｉ（ｉ＝１〜Ｎ）が１つの基地局ＢＳを備える。各基地局ＢＳｉは、基地局ＢＳｉによって管理されるセル１５ｉに位置する移動端末３０が、図１には示さない遠隔電気通信装置との通信を、確立又は受け取り又は継続することを可能にする。
【００５５】
ここで、基地局ＢＳｉのセル１５ｉは少なくとも２つの階をカバーし得ることが留意されなければならない。
【００５６】
図１には、明確にするために２つの階Ｆｌ１及びＦｌｉを示す。基地局ＢＳｉは１５ｉと示されるセルを管理し、基地局ＢＳ１はセル１５１を管理する。
【００５７】
図１において、２つの移動端末３０ａ及び３０ｂしか示さないが、建物ＢＬＤにはより多くの数の移動端末３０が含まれることを理解することができる。移動端末３０ａは、基地局ＢＳＥによって管理されるセル１５ｅに位置する。移動端末３０ａは、エレベータキャビンＥＬＥＶから出ると、基地局ＢＳｉによって管理されるセル１５ｉに入る。移動端末３０ｂは、基地局ＢＳｉによって管理されるセル１５ｉに位置する。
【００５８】
エレベータキャビンＥＬＥＶは、少なくとも１つの目的階Ｆｌｉの選択を可能にするキーボードＫＢＤを備える。キーボードＫＢＤは、エレベータコントローラ２０にリンクされている。
【００５９】
キーボードＫＢＤ及び呼出しボタンＢＴＦから、エレベータコントローラ２０は、エレベータキャビンＥＬＥＶの目的階Ｆｌｉを確定し、エレベータエンジン１０に対して、エレベータキャビンＥＬＥＶを目的階Ｆｌｉまで引っ張る関連コマンドを与え、エレベータキャビンＥＬＥＶに対して、エレベータキャビンＥＬＥＶのドアを閉じる及び／又は開く関連指示を与える。
【００６０】
エレベータキャビンＥＬＥＶは、１つの基地局ＢＳＥを備える。基地局ＢＳＥは、基地局ＢＳＥによって管理されるセル１５ｅに位置する移動端末３０が、図１には示さない遠隔電気通信装置との通信を、確立又は受け取り又は継続するのを可能にする。
【００６１】
ここで、エレベータキャビンＥＬＥＶが概して金属部品から構成され、エレベータシャフトが概してコンクリートから建造され、それによって電磁信号の伝播が制限されるので、エレベータドアが閉じると、セル１５ｅは概してエレベータキャビンＥＬＥＶのボリュームに制限されることが留意されなければならない。エレベータキャビンＥＬＥＶのドアが開くと、セル１５ｅは、エレベータキャビンＥＬＥＶが停止する階Ｆｌｉのボリュームの一部に拡大する。
【００６２】
基地局ＢＳｉ（ｉ＝１〜Ｎ）及び基地局ＢＳＥは、無線セルラ電気通信ネットワークの基地局である。
【００６３】
好ましくは、基地局ＢＳｉ（ｉ＝１〜Ｎ）及び基地局ＢＳＥは、図１には示さない電気通信ネットワークにリンクされるアクセスゲートウェイ４０にリンクされる。
【００６４】
電気通信ネットワークは、例として且つ非限定的に、専用有線ネットワーク、公衆交換回線網のような公衆ネットワークの一部、ＩＰベースネットワーク、無線ネットワーク、非同期転送モードネットワーク又は上述したネットワークの組合せである。
【００６５】
アクセスゲートウェイ４０は、モビリティ管理エンティティ（Mobility Management Entity）又はサービングＧＰＲＳサポートノード又はフォーリンエージェント又はビジターロケーションレジスタ（Visitor Location Register）又はパブリックランドモビリティネットワークサーバ（Public Land Mobility Network server）とも呼ばれる。
【００６６】
基地局ＢＳｉ（ｉ＝１〜Ｎ）及び基地局ＢＳＥは、ノード又はノードＢ又は拡張ノードＢ又はアクセスポイントとも呼ばれる。
【００６７】
移動端末３０は、携帯電話、携帯情報端末又はパーソナルコンピュータのような端末である。
【００６８】
図２は、移動する乗物用の無線電気通信システムの種々の装置間の相互接続を示すブロック図である。
【００６９】
エレベータコントローラ２０は、専用配線システムを介して、呼出しボタンＢＴＦｉ（ｉ＝１〜Ｎ）、キーボードＫＢＤ、エレベータエンジン１０にリンクされている。
【００７０】
エレベータコントローラ２０は、キーボードＫＢＤ及び呼出しボタンＢＴＦから、エレベータキャビンＥＬＥＶの目的階Ｆｌｉを確定し、エレベータキャビンＥＬＥＶを目的階Ｆｌｉまで移動させるために、確定された目的階Ｆｌに従ってエレベータエンジン１０に命令する。エレベータコントローラ２０はまた、エレベータキャビンＥＬＥＶの動きの最後にエレベータキャビンＥＬＥＶのドアの開放を命令し、エレベータキャビンＥＬＥＶの動きが開始する前にエレベータキャビンＥＬＥＶのドアの閉鎖を命令する。
【００７１】
エレベータコントローラ２０はまた、基地局ＢＳＥにもリンクされている。本発明によれば、エレベータコントローラ２０は、エレベータキャビンＥＬＥＶの目的階Ｆｌｉを表す情報を示すメッセージを基地局ＢＳＥに転送する。具現化の一変形例では、メッセージは、目的階Ｆｌの、好ましくは順序付きの、リストを含む。
【００７２】
エレベータコントローラ２０はまた、エレベータキャビンＥＬＥＶが移動しているか否か、及びエレベータのドアが開いているか否かを示すメッセージを基地局ＢＳＥに転送する。
【００７３】
基地局ＢＳＥ及びＢＳ１〜ＢＳＮは、ネットワーク５０を介して互いにリンクされている。ネットワーク５０は、例として且つ非限定的に、専用有線ネットワーク、公衆交換回線網のような公衆ネットワークの一部、ＩＰベースネットワーク、無線ネットワーク、非同期転送モードネットワーク又は上述したネットワークの組合せである。
【００７４】
アクセスゲートウェイもまたネットワーク５０にリンクされている。
【００７５】
ここで、本発明による移動する乗物用の無線電気通信システムの配線を低減するために、基地局ＢＳＥのみがエレベータコントローラ２０にリンクされることが留意されなければならない。当業者は、説明した実施形態を、各基地局ＢＳｉ（ｉ＝１〜Ｎ）もエレベータコントローラ２０にリンクされるシステムに容易に入れ替えるであろう。
【００７６】
図３は、本発明による基地局のブロック図である。
【００７７】
各基地局ＢＳＥ又はＢＳｉ（ｉ＝１〜Ｎ）は、たとえば、互いにバス３０１によって接続されるコンポーネントと、プロセッサ３００とに基づくアーキテクチャを有する。プロセッサ３００は、基地局ＢＳＥに関して図４ａ及び図４ｂにおいて開示するようなプログラムにより制御され、且つ基地局ＢＳｉ（ｉ＝１〜Ｎ）に関して図５ａ及び図５ｂにおいて開示するようなプログラムにより制御される。
【００７８】
ここで、各基地局ＢＳｉ（ｉ＝１〜Ｎ）又は基地局ＢＳＥは、一変形例では、後に開示するようにプロセッサ３００によって実行される動作と同じ動作を実行する１つ又はいくつかの専用集積回路の形態で実装されることが留意されなければならない。
【００７９】
バス３０１は、プロセッサ３００を、リードオンリメモリＲＯＭ３０２、ランダムアクセスメモリＲＡＭ３０３、ネットワークインタフェース３０４、無線インタフェース３０５、及び基地局ＢＳＥの場合はエレベータインタフェース３０６にリンクする。
【００８０】
基地局ＢＳＥのメモリ３０３は、変数を受け取るように意図されたレジスタと、図４ａ及び図４ｂに開示するようなアルゴリズムに関連するプログラムの命令とを含む。
【００８１】
基地局ＢＳＥのリードオンリメモリ３０２は、図４ａ及び図４ｂのアルゴリズムを実行するプログラムの命令を含む。
【００８２】
各基地局ＢＳｉ（ｉ＝１〜Ｎ）のメモリ３０３は、変数を受け取るように意図されたレジスタと、図５ａ及び図５ｂに開示するようなアルゴリズムに関連するプログラムの命令とを含む。
【００８３】
各基地局ＢＳｉ（ｉ＝１〜Ｎ）のリードオンリメモリ３０２は、図５ａ及び図５ｂのアルゴリズムを実行するプログラムの命令を含む。
【００８４】
プロセッサ３００は、ネットワークインタフェース３０４の動作及び無線インタフェース３０５の動作を制御する。
【００８５】
基地局ＢＳＥ及び各基地局ＢＳｉ（ｉ＝１〜Ｎ）は、ネットワークインタフェース３０４及びネットワーク５０を介してアクセスゲートウェイに接続されている。
【００８６】
基地局ＢＳＥのプロセッサ３００は、エレベータインタフェース３０６を介して、エレベータキャビンＥＬＥＶの目的階Ｆｌｉを示すメッセージをエレベータコントローラ２０から受け取る。具現化の一変形例では、受け取られたメッセージは、目的階Ｆｌの、好ましくは順序付きの、リストを含む。
【００８７】
プロセッサ３００は、エレベータインタフェース３０６を介して、エレベータキャビンＥＬＥＶのドアが開いているか否かを示すメッセージと、エレベータキャビンＥＬＥＶが移動しているか否かを示すメッセージとをエレベータコントローラ２０から受け取る。
【００８８】
図４ａは、本発明による、移動する乗物に含まれる基地局によって実行される、その移動する乗物に位置する移動端末によって処理される進行中の通信を管理する、アルゴリズムを表す。
【００８９】
より正確には、本アルゴリズムは、基地局ＢＳＥのプロセッサ３００によって実行される。
【００９０】
ステップＳ４００において、プロセッサ３００は、基地局ＢＳＥのネットワークインタフェース３０４又はエレベータインタフェース３０６を介してメッセージが受け取られるか否かを検査する。
【００９１】
メッセージが受け取られる場合、プロセッサ３００はステップＳ４０１に進む。これに対して、メッセージが受け取られない場合には、プロセッサ３００はステップ４００に戻る。
【００９２】
ステップＳ４０１において、プロセッサ３００は、受け取られたメッセージがエレベータキャビンＥＬＥＶの動きの開始を表すか否かを検査する。このようなメッセージは、エレベータコントローラ２０によって転送され、たとえば、エレベータキャビンＥＬＥＶの目的階Ｆｌｉも示す。具現化の一変形例では、受け取られたメッセージは、目的階Ｆｌｉの、好ましくは順序付きの、リストを含む。
【００９３】
受け取られたメッセージがエレベータキャビンＥＬＥＶの動きの開始を表す場合、プロセッサ３００はステップＳ４０２に進む。これに対して、メッセージがエレベータキャビンＥＬＥＶの動きの開始を表さない場合には、プロセッサ３００はステップＳ４１１に進む。
【００９４】
ステップＳ４０２において、プロセッサ３００は、ハンドオーバＥＦ確認のリストが空であるか否かを検査する。ハンドオーバＥＦ確認のリストは、ＲＡＭメモリ３０３に記憶されており、エレベータキャビンＥＬＥＶに位置する少なくとも１つの移動端末３０についてのハンドオーバ準備確認メッセージを送信した基地局ＢＳｉの識別子と、ハンドオーバ準備が関係する少なくとも１つの移動端末３０の識別子とを含む。
【００９５】
ハンドオーバＥＦ確認のリストが空でない場合、プロセッサ３００はステップＳ４０３に進み、ハンドオーバＥＦ確認のリストの内容をリセットする。その後、プロセッサ３００はステップＳ４０４に進む。
【００９６】
ハンドオーバＥＦ確認のリストが空である場合、プロセッサ３００はステップＳ４０４に進む。
【００９７】
次のステップＳ４０４において、プロセッサ３００は、目的基地局ＢＳｉを表す情報を取得する。ステップＳ４００において受け取られたメッセージに示される目的階Ｆｌｉを使用して、プロセッサ３００は、ＲＯＭメモリ３０２に格納されているテーブルを用いて、目的基地局ＢＳｉの識別子を確定する。目的基地局ＢＳｉは、目的階ＦｌｉにおいてエレベータキャビンＥＬＥＶへのアクセスをカバーするセル１５ｉの基地局ＢＳｉである。その基地局ＢＳｉは、目的階Ｆｌｉに位置することが好ましい。
【００９８】
一変形例では、基地局ＢＳｉの識別子は、エレベータコントローラ２０によって転送される。
【００９９】
別の変形では、目的階Ｆｌｉに位置する基地局ＢＳｉの複数の識別子が取得される。
【０１００】
ステップＳ４０５において、プロセッサ３００は、出所基地局（provenance base station）と呼ばれる変数を、前の目的基地局の識別子の値に、すなわち、エレベータキャビンＥＬＥＶが前に停止した階ＦｌｊでエレベータキャビンＥＬＥＶへのアクセスをカバーするセル１５ｊの基地局ＢＳｊの識別子の値に、設定する。
【０１０１】
次のステップＳ４０６において、プロセッサ３００は、ネットワークインタフェース３０４を介しての出所基地局ＢＳｊに対する解放メッセージの転送を命令する。ここで、ｊは出所階Ｆｌｊの識別子を示す。解放メッセージは、そのメッセージを受け取る基地局ＢＳｊにより、調整された無線資源の解放及び／又は完了していない少なくとも１つの準備されたハンドオーバのリセットを許可するメッセージとして解釈される。
【０１０２】
次のステップＳ４０７において、プロセッサ３００は、目的基地局ＢＳｉとの無線資源調整処理を開始する。
【０１０３】
プロセッサ３００は、基地局ＢＳＥのセル１５ｅで使用される無線資源を識別する情報を含む目的基地局ＢＳｉに対するメッセージの転送を命令する。無線資源は、周波数及び／又はタイムスロット及び／又はコードである。
【０１０４】
基地局ＢＳｉは、必要な場合、セル１５ｅで使用される少なくとも１つの無線資源のいかなる使用も回避するために、セル１５ｉで使用される無線資源を変更する。
【０１０５】
基地局ＢＳＥは、必要な場合、セル１５ｉで使用される少なくとも１つの無線資源のいかなる使用も回避するために、セル１５ｅで使用される無線資源を変更する。処理は、ＢＳＥ及びＢＳｉがオーバラップしない資源使用に同意した場合に終了する。
【０１０６】
基地局ＢＳｉは、それに応じて、基地局ＢＳＥに対し、セル１５ｉで使用される無線資源を識別する情報、すなわち基地局ＢＳｉのセル１５ｉの識別子を含むメッセージを転送する。
【０１０７】
次のステップＳ４０８において、プロセッサ３００は、遠隔電気通信装置との進行中の通信に目下関与している、セル１５ｅに含まれる移動端末３０の数Ｎｔを取得する。
【０１０８】
次のステップＳ４０９において、プロセッサ３００は、Ｎｔ個のハンドオーバ準備メッセージを目的基地局ＢＳｉに転送する。ハンドオーバ準備メッセージは、セル１５ｅに位置する移動端末３０の進行中の通信についてのハンドオーバを準備する要求である。一変形例では、遠隔電気通信装置との進行中の通信に目下関与している、基地局ＢＳＥのセル１５ｅに含まれる移動端末３０のすべての進行中の通信に対して、１つのメッセージのみが送信される。
【０１０９】
次のステップＳ４１０において、プロセッサ３００は、測定報告に関するセルのリストを更新する。この測定報告に関するセルのリストは、少なくとも、目的階Ｆｌｉに位置する基地局ＢＳｉのセル１５ｉの識別子を含む。
【０１１０】
ここで、基地局ＢＳｊのセル１５ｊの識別子も、測定報告に関するセルのリストから除去されることが留意されなければならない。
【０１１１】
測定報告は、測定報告に関するセルのリストに識別子が含まれるセル１５において、移動端末３０によって受信される信号を表す情報を含む。
【０１１２】
同じステップにおいて、プロセッサ３００は、無線インタフェース３０５を介しての、セル１５ｅに含まれる移動端末３０に対する、測定報告に関するセルのリストの転送を命令する。
【０１１３】
その後、プロセッサ３００はステップＳ４００に戻る。
【０１１４】
ステップＳ４０１において、受け取られたメッセージがエレベータキャビンＥＬＥＶの動きの開始を表さない場合、プロセッサ３００はステップＳ４１１に進む。
【０１１５】
ステップＳ４１１において、プロセッサ３００は、ステップＳ４００で受け取ったメッセージがハンドオーバ準備確認メッセージであるか否かを検査する。
【０１１６】
ハンドオーバ準備確認メッセージは、ステップＳ４０９で基地局ＢＳＥによって転送されたメッセージに応じて、目的基地局ＢＳｉによって転送されたメッセージである。ハンドオーバ準備確認メッセージは、目的基地局ＢＳｉが、ハンドオーバ準備確認メッセージにおいて識別される１つの進行中のコールに対するハンドオーバ処理に進む用意ができていることを示す。
【０１１７】
ステップＳ４００において受け取られたメッセージがハンドオーバ準備確認メッセージである場合、プロセッサ３００はステップＳ４１２に進む。これに対して、メッセージがハンドオーバ準備確認メッセージでない場合には、プロセッサ３００はステップＳ４１３に進む。
【０１１８】
ステップＳ４１２において、プロセッサ３００は、ハンドオーバ準備確認メッセージを送信した基地局ＢＳｉの識別子と、進行中のコールに目下関与している移動端末３０の識別子とをハンドオーバＥＦ確認リストに追加する。
【０１１９】
その後、プロセッサ３００はステップＳ４００に戻る。
【０１２０】
ステップＳ４１３において、プロセッサ３００は、ステップＳ４００において受け取られたメッセージが、エレベータキャビンＥＬＥＶのドアが開いていることを示すメッセージであるか否かを検査する。
【０１２１】
ステップＳ４００において受け取られたメッセージが、エレベータキャビンＥＬＥＶのドアが開いていることを示すメッセージである場合、プロセッサ３００はステップＳ４１４に進む。これに対して、メッセージがエレベータキャビンＥＬＥＶのドアが開いていることを示すメッセージでない場合には、プロセッサ３００はステップＳ４２１に進む。
【０１２２】
エレベータキャビンＥＬＥＶのドアが開いていることを示すメッセージは、例として、エレベータキャビンＥＬＥＶのドアが開いたままである限り、エレベータコントローラ２０によって定期的に転送される。一変形例では、メッセージは、エレベータキャビンＥＬＥＶのドアが開いている時に一度だけ送信される。
【０１２３】
ステップＳ４１４において、プロセッサ３００は、セル１５ｅに位置する移動端末３０に対するメッセージの転送を命令する。メッセージは、無線インタフェース３０５を介して転送され、測定報告を要求するメッセージである。一変形例では、メッセージを送信するステップは、１度だけ実現され、定期的な測定報告又はイベントによりトリガされる測定報告を報告するように移動端末に要求する。
【０１２４】
それに応じて、少なくとも、遠隔電気通信装置と目下通信しているセル１５ｅに位置する移動端末３０によって、測定報告が転送される。
【０１２５】
次のステップＳ４１５において、プロセッサ３００は、遠隔電気通信装置と目下通信している、セル１５ｅに位置する移動端末３０、たとえば移動端末３０ａによって転送される１つの測定報告を選択する。
【０１２６】
同じステップにおいて、プロセッサ３００は、測定報告が正しいか否か、すなわち、セル１５ｅにおいて移動端末３０ａによって受信された信号の品質を表す情報が、所定閾値を下回るか否か、且つ／又は、識別子が測定報告リストに含まれるセル１５ｉにおいて移動端末３０ａによって受信された信号の品質を表す情報を下回るか否かを検査する。
【０１２７】
信号の品質は、例として且つ非限定的に、信号の受信出力及び／又は受信信号の信号対干渉雑音比である。
【０１２８】
測定報告が正しい場合、プロセッサ３００はステップＳ４１６に進む。これに対して、測定報告が正しくない場合には、プロセッサ３００はステップＳ４１９に進む。
【０１２９】
ステップＳ４１６において、プロセッサ３００は、ハンドオーバＥＦ確認リストを読み出し、選択された測定報告を送信した移動端末３０の識別子が基地局ＢＳｉの識別子に関連するか否かを検査する。
【０１３０】
選択された測定報告を送信した移動端末３０の識別子が、基地局ＢＳｉの識別子に関連する場合、プロセッサ３００はステップＳ４１７に進む。これに対して、移動端末３０の識別子が基地局ＢＳｉの識別子に関連しない場合には、プロセッサ３００はステップＳ４１９に進む。
【０１３１】
ステップＳ４１７において、プロセッサ３００は、選択された測定報告を送信した移動端末３０の識別子に関連する進行中のコールについてのハンドオーバの完了を命令する。
【０１３２】
プロセッサ３００は、基地局ＢＳｉにハンドオーバ完了メッセージを転送する。
【０１３３】
ここで、ハンドオーバは、選択された測定報告を送信した移動端末３０の識別子が基地局ＢＳｉの識別子に関連する場合であり、且つ測定報告が正しい場合に、エレベータキャビンＥＬＥＶのドアが開いている時にのみ完了することが留意されなければならない。
【０１３４】
次のステップＳ４１８において、プロセッサ３００は、選択された測定報告を送信した移動端末３０の識別子をハンドオーバＥＦ確認リストから除去する。
【０１３５】
次のステップＳ４１９において、プロセッサ３００は、ステップＳ４１４において受け取られた少なくとも１つの測定報告が選択されていないか否かを検査する。
【０１３６】
ステップＳ４１４において受け取られたすべての測定報告が選択された場合、プロセッサ３００はステップＳ４００に戻る。これに対して、選択されていない測定報告がある場合には、プロセッサ３００はステップＳ４１５に進む。
【０１３７】
ステップＳ４１５〜Ｓ４１９によって構成されるループは、すべての測定報告が選択されるまで実行される。
【０１３８】
図１の例を考慮すると、エレベータキャビンＥＬＥＶのドアが開く時、目下通信中の移動端末３０ａは、基地局ＢＳＥのセル１５ｅに位置する。移動端末３０ａのユーザがエレベータキャビンＥＬＥＶから出る時、移動端末３０ａは、基地局ＢＳＥのセル１５ｅと、基地局ＢＳｉのセル１５ｉとに位置する。移動端末３０ａによって基地局ＢＳＥに転送される測定報告は、ハンドオーバ完了に関して適切であるとは見なされない。移動端末３０ａのユーザが階Ｆｌｉに移動し続ける時、移動端末３０ａは、基地局ＢＳＥのセル１５ｅと、基地局ＢＳｉのセル１５ｉとに位置する。エレベータキャビンＥＬＥＶのドアが開いたままである時、エレベータコントローラ２０は、エレベータキャビンＥＬＥＶのドアが開いていることを示す別のメッセージを転送する。移動端末３０ａによって転送される測定報告は、基地局ＢＳＥによりハンドオーバ完了に関して適切であると見なされる。そして、進行中のコールは、基地局ＢＳｉに転送され、基地局ＢＳｉによって管理される。
【０１３９】
移動端末３０ａのユーザがエレベータキャビンＥＬＥＶ内に留まる場合、移動端末３０ａは、基地局ＢＳＥのセル１５ｅに位置する。移動端末３０ａによって転送されるいかなる測定報告もハンドオーバ完了に関して適切であると見なされず、進行中のコールは基地局ＢＳＥによって管理され続ける。
【０１４０】
ステップＳ４２１において、プロセッサ３００は、ステップＳ４００において受け取られるメッセージが調整メッセージであるか否かを検査する。
【０１４１】
セル１５ｅにおいて使用される少なくとも１つの無線資源のいかなる使用も回避するために、目的基地局ＢＳｉがセル１５ｉにおいて使用される無線資源を変更することができない場合、調整メッセージは、目的基地局ＢＳｉによって転送されるメッセージである。
【０１４２】
ステップＳ４００において受け取られるメッセージが調整メッセージである場合、プロセッサ３００はステップＳ４２２に進む。これに対して、メッセージが調整メッセージでない場合には、プロセッサ３００はステップＳ４００に戻る。
【０１４３】
ステップＳ４２２において、プロセッサ３００は、セル１５ｅとセル１５ｉとの間の競合する無線資源を識別する。
【０１４４】
次のステップＳ４２３において、プロセッサ３００は、少なくとも進行中のコールに対して、セル１５ｅで使用される無線資源を再割当てする。
【０１４５】
その後、プロセッサ３００はステップＳ４００に戻る。
【０１４６】
図４ｂは、本発明による、移動する乗物に含まれる基地局によって実行される、その移動する乗物に入る可能性がある移動端末に関する、アルゴリズムを表す。
【０１４７】
より正確には、本アルゴリズムは、基地局ＢＳＥのプロセッサ３００によって図４ａのアルゴリズムと並行して実行される。
【０１４８】
ステップＳ４５０において、プロセッサ３００は、ネットワークインタフェース３０４又はエレベータインタフェース３０６を介してメッセージが受け取られるか否かを検査する。
【０１４９】
一変形例では、プロセッサ３００はまた、無線インタフェース３０５を介してメッセージが受け取られるか否かを検査する。
【０１５０】
メッセージが受け取られる場合、プロセッサ３００はステップＳ４５１に進む。これに対して、メッセージが受け取られない場合には、プロセッサ３００はステップＳ４５０に戻る。
【０１５１】
ステップＳ４５１において、プロセッサ３００は、受け取られたメッセージが、エレベータキャビンＥＬＥＶの動きの開始を表すか否かを検査する。このようなメッセージは、エレベータコントローラ２０によって転送され、さらに、エレベータキャビンＥＬＥＶの目的階Ｆｌｉを示す。具現化の一変形例では、受け取られたメッセージは、目的階Ｆｌの、好ましくは順序付きの、リストを含む。
【０１５２】
受け取られたメッセージが、エレベータキャビンＥＬＥＶの動きの開始を表す場合、プロセッサ３００はステップＳ４５２に進む。これに対して、メッセージがエレベータキャビンＥＬＥＶの動きの開始を表さない場合には、プロセッサ３００はステップＳ４５３に進む。
【０１５３】
ステップＳ４５２において、プロセッサ３００は、ハンドオーバＦＥ確認のリストをリセットする。ハンドオーバＦＥ確認のリストは、ＲＡＭメモリ３０３に記憶されており、階Ｆｌｉの基地局ＢＳｉのセル１５ｉに位置する少なくとも１つの移動端末３０についてのハンドオーバ準備メッセージを送信した基地局ＢＳｉの識別子と、ハンドオーバ準備確認メッセージが関係する移動端末３０の識別子とを含む。
【０１５４】
次のステップＳ４５２ｂにおいて、プロセッサ３００は、エレベータキャビンＥＬＥＶが前に停止した階Ｆｌｊの基地局ＢＳｊによって送信されたハンドオーバ準備メッセージを受信した後に、準備された資源を解放する。
【０１５５】
次のステップＳ４５２ｃにおいて、プロセッサ３００は、測定報告に関するセルのリストを更新する。測定報告に関するセルのリストは、少なくとも、エレベータキャビンＥＬＥＶが前に停止した階Ｆｌｊに位置する基地局ＢＳｊのセル１５ｊの識別子をもはや含まない。同じステップにおいて、プロセッサ３００は、無線インタフェース３０５を介しての、セル１５ｅに含まれる移動端末３０に対する、測定報告に関するセルのリストの転送を命令する。
【０１５６】
その後、プロセッサ３００はステップＳ４５０に戻る。
【０１５７】
ステップＳ４５３において、プロセッサ３００は、ハンドオーバ準備メッセージが目的基地局ＢＳｉから受け取られるか否かを検査する。ハンドオーバ準備メッセージは、目的基地局ＢＳｉのセル１５ｉに位置する移動端末３０の進行中の通信に対するハンドオーバを準備する要求である。
【０１５８】
ハンドオーバ準備メッセージが目的基地局ＢＳｉから受け取られる場合、プロセッサ３００はステップＳ４５４に進む。これに対して、ハンドオーバ準備メッセージが目的基地局ＢＳｉから受け取られない場合には、プロセッサ３００はステップＳ４５７に進む。ハンドオーバ準備メッセージは、基地局ＢＳｉの識別子と、ハンドオーバ準備メッセージが関係する目標基地局ＢＳｉのセル１５ｉに位置する移動端末３０の識別子とを含む。
【０１５９】
ステップＳ４５４において、プロセッサ３００は、目的基地局ＢＳｉのセル１５ｉに位置する移動端末３０に対するハンドオーバを準備する。プロセッサ３００は、移動端末３０の進行中の通信が基地局ＢＳＥを通過するのを可能にするために、無線インタフェース３０５及びネットワークインタフェース３０４の資源を確保する。
【０１６０】
次のステップＳ４５５において、プロセッサ３００は、基地局ＢＳＥが進行中のコールに対するハンドオーバ処理に進む用意ができていることを示すハンドオーバ準備確認メッセージの、ネットワークインタフェース３０４を介する目的基地局ＢＳｉへの転送を命令する。
【０１６１】
次のステップＳ４５６において、プロセッサ３００は、移動端末３０の識別子と、ハンドオーバ準備確認メッセージが転送される基地局ＢＳｉの識別子とを、ハンドオーバＦＥ確認のリストに追加する。
【０１６２】
その後、プロセッサ３００はステップＳ４５０に戻る。
【０１６３】
ステップＳ４５７において、プロセッサ３００は、ステップＳ４５０において受け取られたメッセージがハンドオーバ完了メッセージであるか否かを検査する。ハンドオーバ完了メッセージは、基地局ＢＳｉの識別子と、ハンドオーバが関係する目的基地局ＢＳｉのセル１５ｉに位置する移動端末３０の識別子とを含む。
【０１６４】
ステップＳ４５０において受け取られたメッセージがハンドオーバ完了メッセージである場合、プロセッサ３００はステップＳ４５８に進む。これに対して、メッセージがハンドオーバ完了メッセージでない場合には、プロセッサ３００はステップＳ４５０に戻る。
【０１６５】
ここで、ハンドオーバ完了メッセージは、ハンドオーバが関係する基地局ＢＳｉによって転送されるか、又は基地局ＢＳｉによって移動端末３０に転送されるハンドオーバ完了メッセージに応じて、関係する移動端末３０によって転送されることが留意されなければならない。
【０１６６】
次のステップＳ４５８において、プロセッサ３００は、ハンドオーバ完了メッセージに含まれる移動端末３０の識別子をハンドオーバＥＦ確認リストから除去する。
【０１６７】
ステップＳ４５９において、プロセッサ３００は、ハンドオーバ完了メッセージに含まれる移動端末３０の識別子に関連する進行中のコールに対するハンドオーバの完了を命令する。
【０１６８】
その後、プロセッサ３００はステップＳ４５０に戻る。
【０１６９】
図５ａは、本発明による、建物の１つの階に位置する基地局により実行される、その基地局が位置する階に入る可能性がある移動端末を管理するアルゴリズムを表す。
【０１７０】
より正確には、本アルゴリズムは、各基地局ＢＳｉ（ｉ＝１〜Ｎ）のプロセッサ３００によって実行される。
【０１７１】
ステップＳ５００において、プロセッサ３００は、ネットワークインタフェース３０４を介してメッセージが受け取られるか否かを検査する。
【０１７２】
一変形例では、プロセッサ３００はまた、無線インタフェース３０５を介してメッセージが受け取られるか否かを検査する。
【０１７３】
メッセージが受け取られる場合、プロセッサ３００はステップＳ５０１に進む。これに対して、メッセージが受け取られない場合には、プロセッサ３００はステップＳ５００に戻る。
【０１７４】
ステップＳ５０１において、プロセッサ３００は、ステップＳ５００において受け取られたメッセージが調整処理メッセージであるか否かを検査する。
【０１７５】
ステップＳ５００において受け取られたメッセージが調整処理メッセージである場合、プロセッサ３００はステップＳ５０２に進む。これに対して、メッセージが調整処理メッセージでない場合には、プロセッサ３００はステップＳ５０５に進む。
【０１７６】
調整処理メッセージは、基地局ＢＳＥのセル１５ｅにおいて使用される無線資源を識別する情報を含む。無線資源は、周波数及び／又はタイムスロット及び／又はコードである。
【０１７７】
ステップＳ５０２において、プロセッサ３００は、基地局ＢＳＥのセル１５ｅにおいて使用される無線資源と、基地局ＢＳｉのセル１５ｅにおいて使用される無線資源との調整が可能であるか否かを検査する。
【０１７８】
無線資源の調整が可能である場合、すなわち、基地局ＢＳｉによって使用される無線資源と基地局ＢＳＥによって使用される無線資源との間に競合が存在しない場合には、プロセッサ３００はステップＳ５０４に進む。これに対して、競合が存在する場合には、プロセッサ３００はステップＳ５０３に進む。
【０１７９】
ステップＳ５０３において、プロセッサ３００は、基地局ＢＳＥに対する調整メッセージの転送を命令する。
【０１８０】
調整メッセージは、セル１５ｅにおいて使用される少なくとも１つの無線資源のいかなる使用も回避するために、目的基地局ＢＳｉが、セル１５ｉにおいて使用される無線資源を変更することができない場合に、目的基地局ＢＳｉによって転送されるメッセージである。調整メッセージは、目的基地局ＢＳｉによって使用される無線資源に関する情報を含む。
【０１８１】
その後、プロセッサ３００はステップＳ５２０に進む。
【０１８２】
ステップＳ５０４において、基地局ＢＳｉは、必要な場合、セル１５ｅにおいて使用される少なくとも１つの無線資源のいかなる使用も回避するために、セル１５ｉにおいて使用される無線資源を変更する。
【０１８３】
基地局ＢＳｉは、それに応じて、セル１５ｉにおいて使用される無線資源を識別する情報と、基地局ＢＳｉのセル１５ｉの識別子とを含むメッセージを、基地局ＢＳＥに転送する。
【０１８４】
次のステップＳ５２０において、プロセッサ３００は、解放フラグをヌル値にリセットする。
【０１８５】
その後、プロセッサ３００はステップＳ５００に戻る。
【０１８６】
ステップＳ５０５において、プロセッサ３００は、基地局ＢＳＥからハンドオーバ準備メッセージが受け取られるか否かを検査する。ハンドオーバ準備メッセージは、基地局ＢＳＥのセル１５ｅに位置する移動端末３０の進行中の通信に対するハンドオーバを準備する要求である。
【０１８７】
ハンドオーバ準備メッセージが基地局ＢＳＥから受け取られる場合、プロセッサ３００はステップＳ５０６に進む。これに対して、ハンドオーバ準備メッセージが受け取られない場合には、プロセッサ３００はステップＳ５０９に進む。ハンドオーバ準備メッセージは、基地局ＢＳＥの識別子、ハンドオーバ準備メッセージが関係する基地局ＢＳＥのセル１５ｅに位置する移動端末３０の識別子、及び／又は進行中の通信に関連する情報を含む。この進行中の通信に関連する情報は、暗号化鍵、サービス品質、アクセスゲートウェイ４０における通信コンテキストの識別子等である。
【０１８８】
ステップＳ５０６において、プロセッサ３００は、セル１５ｅに位置する移動端末３０に対するハンドオーバを準備する。プロセッサ３００は、移動端末３０の進行中の通信が基地局ＢＳｉを通過するのを可能にするために、無線インタフェース３０５及びネットワークインタフェース３０４の資源を確保する。
【０１８９】
次のステップＳ５０７において、プロセッサ３００は、基地局ＢＳｉが進行中のコールに対するハンドオーバ手順に進む用意ができていることを示すハンドオーバ準備確認メッセージの、ネットワークインタフェース３０４を介する基地局ＢＳＥへの転送を命令する。
【０１９０】
次のステップＳ５０６において、プロセッサ３００は、移動端末３０の識別子と基地局ＢＳＥの識別子とを、ハンドオーバＥＦ確認のリストに追加する。
【０１９１】
その後、プロセッサ３００はステップＳ５００に戻る。
【０１９２】
ステップＳ５０９において、プロセッサ３００は、ステップＳ５００において受け取られたメッセージがハンドオーバ完了メッセージであるか否かを検査する。ハンドオーバ完了メッセージは、基地局ＢＳＥの識別子と、ハンドオーバが関係する基地局ＢＳＥのセル１５Ｅに位置する移動端末３０の識別子とを含む。
【０１９３】
ここで、ハンドオーバ完了メッセージは、ハンドオーバが関係する基地局ＢＳｉによって転送されるか、又は基地局ＢＳｉによって移動端末３０に転送されたハンドオーバ完了メッセージに応じて、関係する移動端末３０によって転送されることが留意されなければならない。
【０１９４】
ステップＳ５００において受け取られたメッセージがハンドオーバ完了メッセージである場合、プロセッサ３００はステップＳ５１１に進む。これに対して、メッセージがハンドオーバ完了メッセージでない場合には、プロセッサ３００はステップＳ５０９に進む。
【０１９５】
ステップＳ５１１において、プロセッサ３００は、ハンドオーバ完了メッセージに含まれる移動端末３０の識別子をハンドオーバＥＦ確認リストから除去する。
【０１９６】
ステップＳ５１２において、プロセッサ３００は、ハンドオーバ完了メッセージに含まれる移動端末３０の識別子に関連する進行中のコールに対するハンドオーバの完了を命令する。
【０１９７】
その後、プロセッサ３００はステップＳ５００に戻る。
【０１９８】
ステップＳ５１５において、プロセッサ３００は、ステップＳ５００において受け取られたメッセージが基地局ＢＳＥによって転送された解放メッセージであるか否かを検査する。
【０１９９】
メッセージが解放メッセージである場合、プロセッサ３００はステップＳ５１６に進む。これに対して、メッセージが解放メッセージでない場合には、プロセッサ３００はステップＳ５００に戻る。
【０２００】
ステップＳ５１６において、プロセッサ３００は、解放フラグを値１にセットする。
【０２０１】
次のステップＳ５１７において、プロセッサ３００は、１つ又は複数のハンドオーバに対して且つ／又は調整処理について確保された無線資源の解放を命令し、ハンドオーバＥＦ確認リストの内容をリセットする。
【０２０２】
その後、プロセッサ５００はステップＳ５００に戻る。
【０２０３】
図５ｂは、本発明による、建物の１つの階に位置する基地局によって実行される、その基地局のセルに位置する、移動する乗物に入る可能性がある移動端末を管理するアルゴリズムを表す。
【０２０４】
より正確には、本アルゴリズムは、各基地局ＢＳｉ（ｉ＝１〜Ｎ）のプロセッサ３００によって図５ａのアルゴリズムと並行して実行される。
【０２０５】
ステップＳ５５０において、プロセッサ３００は、ネットワークインタフェース３０４を介してメッセージが受け取られるか否かを検査する。
【０２０６】
メッセージが受け取られる場合、プロセッサ３００はステップＳ５５１に進む。これに対して、メッセージが受け取られない場合には、プロセッサ３００はステップＳ５５０に戻る。
【０２０７】
ステップＳ５５１において、プロセッサ３００は、ステップＳ５５０において受け取られたメッセージが調整処理メッセージであるか否かを検査する。
【０２０８】
メッセージが調整処理メッセージである場合、プロセッサ３００はステップＳ５５２に進む。これに対して、メッセージが調整処理メッセージでない場合には、プロセッサ３００はステップＳ５６３に進む。
【０２０９】
ステップＳ５５２において、プロセッサ３００は、遠隔電気通信装置との進行中の通信に目下関与している、基地局ＢＳｉのセル１５ｉに含まれる移動端末３０の数Ｎｆを取得する。
【０２１０】
次のステップＳ５５３において、プロセッサ３００は、Ｎｆ個のハンドオーバ準備メッセージを基地局ＢＳＥに転送する。一変形例では、それぞれの遠隔電気通信装置との進行中の通信に目下関与している、基地局ＢＳｉのセル１５ｉに含まれる移動端末３０の進行中の通信のすべてに対して、１つのメッセージのみが送信される。
【０２１１】
次のステップＳ５５４において、プロセッサ３００は、測定報告に関するセルのリストを更新する。この測定報告に関するセルのリストは、少なくとも基地局ＢＳＥのセル１５ｅの識別子を含む。
【０２１２】
同じステップにおいて、プロセッサ３００は、無線インタフェース３０５を介しての、セル１５ｉに含まれる移動端末３０に対する、測定報告に関するセルのリストの転送を命令する。
【０２１３】
次のステップＳ５５５において、プロセッサ３００は、セル１５ｉに位置する移動端末３０に対するメッセージの転送を命令する。メッセージは、無線インタフェース３０５を介して転送される。このメッセージは、測定報告を要求するメッセージである。
【０２１４】
これに応じて、測定報告が、少なくとも、遠隔電気通信装置と目下通信している、セル１５ｉに位置する移動端末３０によって転送される。
【０２１５】
次のステップＳ５５６において、プロセッサ３００は、遠隔電気通信装置と目下通信しているセル１５ｉに位置する移動端末３０によって転送される１つの測定報告を選択する。
【０２１６】
同じステップにおいて、プロセッサ３００は、測定報告が正しいか否か、すなわち、セル１５ｉにおいて移動端末３０によって受信された信号の品質を表す情報が、所定閾値を下回るか否か、且つ／又は、識別子が測定報告リストに含まれるセル１５ｅにおいて移動端末３０によって受信された信号の品質を表す情報を下回るか否かを検査する。
【０２１７】
測定報告が正しい場合、プロセッサ３００はステップＳ５５７に進む。これに対して、測定報告が正しくない場合には、プロセッサ３００はステップＳ５６０に進む。
【０２１８】
ステップＳ５５７において、プロセッサ３００は、ハンドオーバＦＥ確認リストを読み出し、選択された測定報告を送信した移動端末３０の識別子が基地局ＢＳＥの識別子に関連するか否かを検査する。
【０２１９】
選択された測定報告を送信した移動端末３０の識別子が、基地局ＢＳＥの識別子に関連しない場合、プロセッサ３００はステップＳ５６０に進む。これに対して、移動端末３０の識別子が基地局ＢＳＥの識別子に関連する場合には、プロセッサ３００はステップＳ５５８に進む。
【０２２０】
ステップＳ５５８において、プロセッサ３００は、選択された測定報告を送信した移動端末３０の識別子に関連する進行中のコールに対するハンドオーバの完了を命令する。
【０２２１】
プロセッサ３００は、ハンドオーバ完了メッセージを基地局ＢＳｅに転送する。
【０２２２】
次のステップＳ５５９において、プロセッサ３００は、選択された測定報告を送信した移動端末３０の識別子をハンドオーバＥＦ確認リストから除去する。
【０２２３】
次のステップＳ５６０において、プロセッサ３００は、ステップＳ５５５において受け取られた少なくとも１つの測定報告が選択されていないか否かを検査する。
【０２２４】
ステップＳ５５５において受け取られた少なくとも１つの測定報告が選択されていない場合、プロセッサ３００はステップＳ５５６に戻る。
【０２２５】
ステップＳ５５６〜Ｓ５６０によって構成されるループは、すべての測定報告が選択されるまで実行される。
【０２２６】
ステップＳ５５５において受け取られたすべての測定報告が選択された場合、プロセッサ３００はステップＳ５６１に進む。
【０２２７】
ステップＳ５６１において、プロセッサ３００は、解放フラグの値が値１に等しいか否かを検査する。
【０２２８】
解放フラグの値が値１に等しい場合、それは、エレベータキャビンＥＬＥＶが現在移動していること、エレベータキャビンＥＬＥＶのドアが閉じていること、及び、それ以上はハンドオーバ完了に進むことができないことを意味する。その後、プロセッサ３００はステップＳ５６２に進む。
【０２２９】
ステップＳ５６２において、プロセッサ３００は、ハンドオーバＦＥ確認のリストの内容をリセットする。
【０２３０】
次のステップＳ５６３において、プロセッサ３００は、基地局ＢＳＥのセルの識別子をリストから除去することにより、隣接セルのリストを更新する。
【０２３１】
その後、プロセッサ３００はステップＳ５５０に戻る。
【０２３２】
解放フラグの値がヌル値に等しい場合、それは、少なくとも１つのハンドオーバ完了に進むことがまだ可能であることを意味する。その後、プロセッサ３００はステップＳ５５５に戻る。
【０２３３】
当然ながら、本発明の範囲から逸脱することなく、上述した本発明の実施形態に対し多くの変更を行うことができる。
【図面の簡単な説明】
【０２３４】
【図１】本発明による、移動する乗物用の無線電気通信システムを備える建物の様子を表す図である。
【図２】移動する乗物用の無線電気通信システムの種々の装置間の相互接続を示すブロック図である。
【図３】本発明による基地局のブロック図である。
【図４ａ】本発明による、移動する乗物に含まれる基地局によって実行される、その移動する乗物に位置する移動端末によって処理される進行中の通信を管理する、アルゴリズムを表す図である。
【図４ｂ】本発明による、移動する乗物に含まれる基地局によって実行される、その移動する乗物に入る可能性がある移動端末に関する、アルゴリズムを表す図である。
【図５ａ】本発明による、建物の１つの階に位置する基地局によって実行される、その基地局が位置する階に入る可能性がある移動端末を管理するアルゴリズムを表す図である。
【図５ｂ】本発明による、建物の１つの階に位置する基地局によって実行される、その基地局のセルに位置する、移動する乗物に入る可能性がある移動端末を管理するアルゴリズムを表す図である。
【図１】
2008211787.tif 000003
【図２】
2008211787.tif 000004
【図３】
2008211787.tif 000005
【図４ａ】
2008211787.tif 000006
【図４ｂ】
2008211787.tif 000007
【図５ａ】
2008211787.tif 000008
【図５ｂ】
2008211787.tif 000009
【外国語明細書】
2008211787.tif 000010
2008211787.tif 000011
2008211787.tif 000012
2008211787.tif 000013
2008211787.tif 000014
2008211787.tif 000015
2008211787.tif 000016
2008211787.tif 000017
2008211787.tif 000018
2008211787.tif 000019
2008211787.tif 000020
2008211787.tif 000021
2008211787.tif 000022
2008211787.tif 000023
2008211787.tif 000024
2008211787.tif 000025
2008211787.tif 000026
2008211787.tif 000027
2008211787.tif 000028
2008211787.tif 000029
2008211787.tif 000030
2008211787.tif 000031
2008211787.tif 000032
2008211787.tif 000033
2008211787.tif 000034
2008211787.tif 000035
2008211787.tif 000036
2008211787.tif 000037
2008211787.tif 000038
2008211787.tif 000039
2008211787.tif 000040
2008211787.tif 000041
2008211787.tif 000042
2008211787.tif 000043
2008211787.tif 000044
2008211787.tif 000045
2008211787.tif 000046
2008211787.tif 000047
2008211787.tif 000048
2008211787.tif 000049
2008211787.tif 000050